(57)【要約】 【課題】  サブコネクタの挿入力を低減して作業性を改善する。【解決手段】  フレーム６０の差込口６０Ａからコネクタ収容室６６へ第２サブコネクタ１０Ｂを挿入する。その挿入過程では、第２サブコネクタ１０Ｂの第２ロック部１９がフレーム６０の第１ロック受け部６３と非干渉に同第１ロック受け部６３を通過する。第２サブコネクタ１０Ｂが正規装着されると、第２ロック部１９がフレーム６０の第２ロック受け部６２と凹凸係合し、第２サブコネクタ１０Ｂがフレーム６０内に抜け止めされる。その後、差込口６０Ａからコネクタ収容室６６へ第１サブコネクタ１０Ａを挿入する。第１サブコネクタ１０Ａの第１ロック部２１がフレーム６０の第１ロック受け部６３に凹凸係合し、第１サブコネクタ１０Ａが第２サブコネクタ１０Ｂと並んでフレーム６０内に抜け止め保持される。【選択図】  図７
2007026760.tif 000002
【特許請求の範囲】
【請求項１】
複数のサブコネクタと、
内部に一つのコネクタ収容室を有し、一側面に開口する差込口から前記コネクタ収容室へと前記各サブコネクタをその並び方向に順次挿入して装着可能な枠状のフレームとを備え、
前記各サブコネクタのうち、前記差込口に対し最後に挿入される第１サブコネクタには第１ロック部が設けられ、前記差込口に対し前記第１サブコネクタよりも先に挿入される第２サブコネクタには第２ロック部が設けられており、
前記フレームにおける前記コネクタ収容室の内面には、前記第１ロック部と対応して前記差込口に近い位置に第１ロック受け部が設けられ、前記第２ロック部と対応して前記差込口から遠い位置に第２ロック受け部が設けられており、
前記第２ロック部と前記第２ロック受け部とが凹凸係合するとともに前記第１ロック部と前記１ロック受け部とが凹凸係合することで、前記フレームに前記各サブコネクタが抜け止め状態で保持されるようになっており、
前記第２サブコネクタが装着される過程では、前記第２ロック部が前記第１ロック受け部とは非干渉に同第１ロック受け部を通過する構成としたことを特徴とするコネクタ。
【請求項２】
前記第１ロック部は、前記第１サブコネクタの外側面にて前記各サブコネクタの並び方向に沿って延びる撓み可能な第１アーム部とこの第１アーム部から外向きに突出する第１ロック突部とからなり、前記第１アーム部の弾性撓み動作を伴いながら前記第１ロック突部が前記第１ロック受け部に嵌入可能とされ、
前記第１ロック受け部は、前記コネクタ収容室の内面に凹み形成され、
前記第２ロック部は、前記第２サブコネクタの外側面に凹み形成され、
前記第２ロック受け部は、前記コネクタ収容室の内面にて前記各サブコネクタの並び方向に沿って延びる撓み可能な第２アーム部と、この第２アーム部から内向きに突出する第２ロック突部とからなり、前記第２アーム部の弾性撓み動作を伴いながら前記第２ロック突部が前記第２ロック部に嵌入可能とされていることを特徴とする請求項１に記載のコネクタ。
【請求項３】
前記各サブコネクタには並び方向に沿って延びるガイド部が設けられ、前記フレームにおける前記コネクタ収容室の内面には、前記ガイド部と対応する位置にガイド受け部が設けられ、前記ガイド受け部と前記ガイド部とが摺接し合うことにより、前記各サブコネクタの挿入動作が案内されるようになっており、
前記第１ロック部及び前記第２ロック部が前記ガイド部に配置され、前記第１ロック受け部及び前記第２ロック受け部が前記ガイド受け部に配置されることを特徴とする請求項１または請求項２に記載のコネクタ。
【請求項４】
前記各サブコネクタは、その並び方向で相対向する側縁部に、それぞれ凹部と凸部とを有し、
並び方向で隣接するサブコネクタ同士が正規の組み合わせである場合には、両者の有する前記凹部と凸部とが係合状態となることでその組み付け動作を許容し、
並び方向で隣接するサブコネクタ同士が誤った組合せである場合には、両者の有する前記凹部と凸部とが非係合状態となることでその組み付け動作を規制する構成としたことを特徴とする請求項１ないし請求項３のいずれかに記載のコネクタ。
【発明の詳細な説明】
【技術分野】
【０００１】
本発明は、コネクタに関する。
【背景技術】
【０００２】
コネクタとして特許文献１に記載のものが知られている。このものは、端子金具を収容可能なキャビティを有する複数のサブコネクタを備え、各サブコネクタが枠状のフレーム内にて区画された複数のコネクタ収容室に対し前方から個別に挿入され、もって一つのコネクタとしてまとめられている。
【特許文献１】特開２００３−３６９１７公報
【発明の開示】
【発明が解決しようとする課題】
【０００３】
ところで、上記の場合には、並び方向で隣接するサブコネクタ間が区画壁によって仕切られているので、フレームが幅方向（各サブコネクタの並び方向）に大型化するという事情がある。  
そこで、図１０の参照例で示すように、区画壁とフレーム１の一側壁とを撤廃することによってフレーム１の幅方向の増大化を抑えた構造にすることが考えられる。その場合、各サブコネクタ２，３は、フレーム１の一側面から区画壁の撤廃により開放された一つのコネクタ収容室４へと、図１０に示す矢印方向に順次挿入されることになる。さらに、各サブコネクタ２，３にロック部５を設けるとともに、フレーム１にロック受け部６を設け、これらの凹凸係合によって各サブコネクタ２，３のフレーム１からの抜け出しを防止した構造とする。しかしこのような構造にすると、ロック部５とロック受け部６のいずれか一方が他方側に向けて突出する形態をとるので、フレーム１内に最初に挿入されるサブコネクタ２が、挿入されて直ぐにロック部５とロック受け部６との引っ掛りによる挿入抵抗を受けることになり、作業性が悪くなるおそれがある。
【０００４】
本発明は上記のような事情に基づいて完成されたものであって、サブコネクタの挿入力を低減して作業性を改善することを目的とする。
【課題を解決するための手段】
【０００５】
上記の目的を達成するための手段として、請求項１の発明は、複数のサブコネクタと、内部に一つのコネクタ収容室を有し、一側面に開口する差込口から前記コネクタ収容室へと前記各サブコネクタをその並び方向に順次挿入して装着可能な枠状のフレームとを備え、前記各サブコネクタのうち、前記差込口に対し最後に挿入される第１サブコネクタには第１ロック部が設けられ、前記差込口に対し前記第１サブコネクタよりも先に挿入される第２サブコネクタには第２ロック部が設けられており、前記フレームにおける前記コネクタ収容室の内面には、前記第１ロック部と対応して前記差込口に近い位置に第１ロック受け部が設けられ、前記第２ロック部と対応して前記差込口から遠い位置に第２ロック受け部が設けられており、前記第２ロック部と前記第２ロック受け部とが凹凸係合するとともに前記第１ロック部と前記１ロック受け部とが凹凸係合することで、前記フレームに前記各サブコネクタが抜け止め状態で保持されるようになっており、前記第２サブコネクタが装着される過程では、前記第２ロック部が前記第１ロック受け部とは非干渉に同第１ロック受け部を通過する構成としたところに特徴を有する。
【０００６】
請求項２の発明は、請求項１に記載のものにおいて、前記第１ロック部は、前記第１サブコネクタの外側面にて前記各サブコネクタの並び方向に沿って延びる撓み可能な第１アーム部とこの第１アーム部から外向きに突出する第１ロック突部とからなり、前記第１アーム部の弾性撓み動作を伴いながら前記第１ロック突部が前記第１ロック受け部に嵌入可能とされ、前記第１ロック受け部は、前記コネクタ収容室の内面に凹み形成され、前記第２ロック部は、前記第２サブコネクタの外側面に凹み形成され、前記第２ロック受け部は、前記コネクタ収容室の内面にて前記各サブコネクタの並び方向に沿って延びる撓み可能な第２アーム部と、この第２アーム部から内向きに突出する第２ロック突部とからなり、前記第２アーム部の弾性撓み動作を伴いながら前記第２ロック突部が前記第２ロック部に嵌入可能とされているところに特徴を有する。
【０００７】
請求項３の発明は、請求項１または請求項２に記載のものにおいて、前記各サブコネクタには並び方向に沿って延びるガイド部が設けられ、前記フレームにおける前記コネクタ収容室の内面には、前記ガイド部と対応する位置にガイド受け部が設けられ、前記ガイド受け部と前記ガイド部とが摺接し合うことにより、前記各サブコネクタの挿入動作が案内されるようになっており、前記第１ロック部及び前記第２ロック部が前記ガイド部に配置され、前記第１ロック受け部及び前記第２ロック受け部が前記ガイド受け部に配置されるところに特徴を有する。
【０００８】
請求項４の発明は、請求項１ないし請求項３のいずれかに記載のものにおいて、前記各サブコネクタは、その並び方向で相対向する側縁部に、それぞれ凹部と凸部とを有し、並び方向で隣接するサブコネクタ同士が正規の組み合わせである場合には、両者の有する前記凹部と凸部とが係合状態となることでその組み付け動作を許容し、並び方向で隣接するサブコネクタ同士が誤った組合せである場合には、両者の有する前記凹部と凸部とが非係合状態となることでその組み付け動作を規制する構成としたところに特徴を有する。
【発明の効果】
【０００９】
＜請求項１の発明＞
フレームの差込口からコネクタ収容室へ第２サブコネクタを挿入すると、その挿入過程で、第２サブコネクタの第２ロック部がフレームの第１ロック受け部と干渉することなく同第１ロック受け部を通過する。第２サブコネクタが正規装着されると、第２ロック部がフレームの第２ロック受け部と凹凸係合し、第２サブコネクタがフレーム内に抜け止めされる。その後、差込口からコネクタ収容室へ第１サブコネクタを挿入すると、第１サブコネクタの第１ロック部がフレームの第１ロック受け部に凹凸係合し、第１サブコネクタが第２サブコネクタと並んでフレーム内に抜け止め保持される。請求項１の発明によれば、第２サブコネクタが装着される過程で、第２ロック部と第１ロック受け部との干渉に起因する挿入抵抗を受けることが無いから、その分、挿入力が減ぜられて作業性が良好となる。
【００１０】
＜請求項２の発明＞
第２ロック部と第１ロック受け部は、いずれも対応する壁面にて凹み形成されているので、第２サブコネクタが装着される過程では両者の干渉が回避され、第２サブコネクタの挿入動作が円滑となる。しかも、第２ロック部とコネクタ収容室の内面との干渉も回避されているので、第２サブコネクタの挿入動作がより円滑となる。そして、第２ロック受け部と第１ロック部は、両者のロック突部がいずれも対応する壁面から相対向する向きに突出しているものの、第２ロック受け部が差込口から遠い位置で第２ロック部と凹凸係合し、第１ロック部が差込口に近い位置で第１ロック受け部と凹凸係合するので、各サブコネクタが装着される過程では両者の干渉が回避される。
【００１１】
＜請求項３の発明＞
各サブコネクタはガイド部とガイド受け部との摺動により案内されつつフレームのコネクタ収容室へ順次挿入されるので、作業性に優れている。また、第１ロック部と第２ロック部がガイド部に配置され、第１ロック受け部と第２ロック受け部がガイド受け部に配置されているので、これらを設置するための専用構造を別に設ける必要がなく、構造の簡素化を図れる。
【００１２】
＜請求項４の発明＞
フレーム内にて並び方向で隣接するサブコネクタ同士が正規の組み合わせである場合には、両者の有する凹部と凸部とが係合状態となることでその組み付け動作を許容する一方、並び方向で隣接するサブコネクタ同士が誤った組み合わせである場合には、両者の有する凹部と凸部とが非係合状態になることでその組み付け動作を規制するようにしたから、サブコネクタ同士が誤った組み合わせで連結されるのを回避できる。
【発明を実施するための最良の形態】
【００１３】
＜実施形態１＞
本発明の実施形態１を図１ないし図９によって説明する。本実施形態のコネクタは、相手の雄コネクタと嵌合可能な雌コネクタであって分割タイプのコネクタとして構成され、複数（図示する場合は２つ）のサブコネクタ１０Ａ，１０Ｂが枠状のフレーム６０に収容可能とされている。なお、以下の説明において、上下方向については各図を基準とし、前後方向については両コネクタの嵌合面側を前方とする。
【００１４】
相手の雄コネクタは基板（プリント配線基板）用のコネクタであって合成樹脂材により形成され、図９に示すように、雄型のサブコネクタ９０を幅方向に複数並べて構成され、これらが後面に配された連結板９１によって並び方向に一体に連結されている。各サブコネクタ９０のうち、正面から見た右側二つのサブコネクタ９０に、本実施形態のサブコネクタ１０Ａ，１０Ｂが嵌合可能とされる。そして、各サブコネクタ９０は、前面に開口する角筒状のフード部９２を備え、幅方向（並び方向）で隣り合う両フード部９２間が区画壁９３によって仕切られている。フード部９２の奥壁には雄端子金具９５が貫通して装着され、雄端子金具９５の前半部がフード部９２の内側に突出して配される一方、雄端子金具９５の後半部が連結板９１の後面から後方へ突出して途中で直角曲げされて基板（図示しないプリント配線基板）の導電路に接続可能とされる。そして、各サブコネクタ９０の中にはフード部９２の上面にカムフォロア９６を突設させたものが含まれ、カムフォロア９６がフレーム６０に装着されたレバー５０のカム溝５１に進入し、レバー５０の回動操作に伴って両コネクタが互いに嵌合される。
【００１５】
本実施形態のサブコネクタ１０Ａ，１０Ｂは同じく合成樹脂製であって、図１に示すように、サイズを異にした二種類のサブハウジング１１を備えて構成される。サブハウジング１１は、いずれも角ブロック状をなし、フレーム６０に対してその並び方向に個別に挿入可能とされている。そして、サブハウジング１１には、図示しない電線の端末に接続された雌端子金具を挿入可能なキャビティ１２が高さ方向に複数段で幅方向に複数列となって整列に配置され、キャビティ１２の内面には前方へ突出する撓み変形可能なランス１３が形成されている。雌端子金具は、後方からキャビティ１２内に正規深さで挿入されて、ランス１３により一次形成され、さらにサブハウジング１１の下面に差し込まれるサイドタイプのリテーナ（図示せず）により二次係止されて、サブハウジング１１からの抜け止めがなされる。
【００１６】
サブハウジング１１の上面には、幅方向の両側端部に、一対のこじり防止リブ１４が突設されている。こじり防止リブ１４は、サブハウジング１１の前端縁より少し後退した位置から後方へ延びる突条をなし、相手のフード部９２に対し不正規に押し付けられたときに、そのフード部９２の先端と当接することで、雌雄の両端子金具の先端同士が当接してこじられるのを阻止する役割を担っている。そして、サブハウジング１１の後端部には、周方向の全周から外向きに張り出すフランジ部１５が形成されている。フランジ部１５は、略矩形状の外形形状を有し、その上下両端部には、左右の両側端面及び後面に開口して幅方向（両サブコネクタ１０Ａ，１０Ｂの並び方向）に延びる上下一対のガイド部１６がレール溝状に形成されている。両サブコネクタ１０Ａ，１０Ｂがフレーム６０内に正規装着されて横並び状態になると、両サブコネクタ１０Ａ，１０Ｂのガイド部１６が幅方向の一直線上に連続するようになっている。
【００１７】
両サブコネクタ１０Ａ，１０Ｂのうち、正面から見て左側に配置されるものは、フレーム６０内に後から差し込まれる、本発明の第１サブコネクタ１０Ａとして構成され、正面から見て右側に配置されるものは、フレーム６０内に先に差し込まれる、本発明の第２サブコネクタ１０Ｂとして構成される。
【００１８】
第１サブコネクタ１０Ａには、フランジ部１５の右側端面上部から側方へ突出する方形ブロック状の凸部１７が形成されている。そして、第２サブコネクタ１０Ｂには、フランジ部１５の左側端面上部における凸部１７と対応する位置に、凹部１８が凹み形成されている。両サブコネクタ１０Ａ，１０Ｂがフレーム６０内に正規装着されると、両サブコネクタ１０Ａ，１０Ｂのフランジ部１５がその側縁同士を幅方向で突き合わせることになるが、このとき、両サブコネクタ１０Ａ，１０Ｂが正規の組合せであると、つまりフレーム６０の奥側から順に第１サブコネクタ１０Ａと第２サブコネクタ１０Ｂとが並んで装着されていると、凹部１８と凸部１７とが互いに嵌まり合って両サブコネクタ１０Ａ，１０Ｂ間の隙間が詰められる。さらに、第２サブコネクタ１０Ｂには、図６に示すように、フランジ部１５の右側端面下部から側方へ突出する方形ブロック状の凸部１７が形成されている。この凸部１７は、後述するフレーム６０の閉止壁６１に形成された凹部１８と係合可能とされており、両者が凹凸嵌合することにより、第２サブコネクタ１０Ｂとフレーム６０の閉止壁６１との間の隙間が詰められる。
【００１９】
第２サブコネクタ１０Ｂには、同第２サブコネクタ１０Ｂが凹部１８と凸部１７との凹凸係合を伴ってフレーム６０内に正規装着されたときに、後述するフレーム６０の第２ロック受け部６２に弾性係止可能な第２ロック部１９が形成されている。第２ロック部１９は、図６に示すように、フランジ部１５の上下両端部の右端寄りの位置（背面から見ると左端寄りの位置）にてフランジ部１５の前後両面に開口しかつガイド部１６に連通する形態をなし、さらに、上側の第２ロック部１９はフランジ部１５の上端面に開口するように切り欠き形成され、下側の第２ロック部１９はフランジ部１５の下端面に開口するように切り欠き形成されている。
【００２０】
一方、第１サブコネクタ１０Ａには、同第１サブコネクタ１０Ａが第２サブコネクタ１０Ｂの後からフレーム６０内に正規装着されたときに、後述するフレーム６０の第１ロック受け部６３に弾性係止可能な第１ロック部２１が形成されている。第１ロック部２１は、図７に示すように、フランジ部１５の上下両端面にてガイド部１６を区画して被覆する覆い壁状の第１アーム部２１Ａと、第１アーム部２１Ａの左端寄りの位置（背面から見ると右端寄りの位置）にて上方及び下方に突出する第１ロック突部２１Ｂとから構成されている。第１ロック突部２１Ｂの右側面（フレーム６０に対する両サブコネクタ１０Ａ，１０Ｂの差し込み方向の前面）は、両サブコネクタ１０Ａ，１０Ｂの差し込み方向に沿って傾斜する差し込み案内面２１Ｅとされ、第１ロック突部２１Ｂの左側面（フレーム６０に対する両サブコネクタ１０Ａ，１０Ｂの差し込み方向の後面）は、両サブコネクタ１０Ａ，１０Ｂの差し込み方向に沿って急角度で傾斜する係止面２１Ｆとされる。第１サブコネクタ１０Ａの挿入過程では、第１ロック突部２１Ｂの差し込み案内面２１Ｅがフレーム６０の左端縁と当接することによって第１アーム部２１Ａをガイド部１６側へ弾性撓みさせるが、第１サブコネクタ１０Ａが正規装着位置に至ると、第１アーム部２１Ａが弾性復帰するとともに第１ロック突部２１Ｂの係止面２１Ｆが第１ロック受け部６３の孔縁に抜け方向で対面し、もって第１サブコネクタ１０Ａがフレーム６０に対して抜け止め状態でロックされるようになっている。
【００２１】
フレーム６０は、同じく合成樹脂製であって全体として枠状をなし、平面視して山型の上下両壁６４，６５を備えて構成される。フレーム６０の略前半部は、矩形枠状をなし、その内側に、両サブコネクタ１０Ａ，１０Ｂを横並びで一括収容可能な一つのコネクタ収容室６６を有している。また、フレーム６０の略後半部は、後方に行くにつれ幅狭となる台形枠状をなし、その内側に、両サブコネクタ１０Ａ，１０Ｂの後面から引き出される電線群（図示せず）を収容しつつ左側方へ屈曲案内する一つの電線収容室７６を有している。コネクタ収容室６６と電線収容室７６とは互いに連通状態にあって区画壁によって仕切られることなく開放されている。
【００２２】
そして、フレーム６０は、コネクタ収容室６６の前面が開口されており、コネクタ収容室６６に正規装着された両サブコネクタ１０Ａ，１０Ｂの略前半部がこの前面から前方へ突出して相手のサブコネクタ９０との嵌合領域を露出させている。また、フレーム６０は、コネクタ収容室６６及び電線収容室７６の各左側面が開口されている。コネクタ収容室６６の左側面は、ここに両サブコネクタ１０Ａ，１０Ｂが並び方向に順次挿入される差込口６０Ａとされ、電線収容室７６の左側面は、ここから電線群が引き出される電線導出口６０Ｂとされている。この電線導出口６０Ｂは、後方へ向かって右側に傾斜する口縁に沿って抉られ、これにより間口が広がって電線の取り回しが容易となるようにしてある。  
フレーム６０の右側端壁は、正規装着位置に至った第１サブコネクタ１０Ａを当て止めするための閉止壁６１として構成されている。閉止壁６１には、第２サブコネクタ１０Ｂの凸部１７が進入可能な凹部１８が厚み方向に貫通して形成されている。この凹部１８は、略方形窓状をなし、凸部１７を緊密に嵌入可能とされている。
【００２３】
フレーム６０の上下両壁６４，６５の外側面には、一対の支持軸６７が突設されており、両支持軸６７にレバー５０が回動可能に支持されている。レバー５０は、操作部５２とその両端から突出するアーム部５３とにより全体として門型をなし、両アーム部５３が支持軸６７に支持されてフレーム６０に跨るように組み付けられる。そして、レバー５０は、回動初期位置と回動終端位置との間を回動可能とされている。レバー５０が回動初期位置にあるときには操作部５２に形成されたレバーロック部５４がフレーム６０の右側斜面上に形成されたレバーロック受け部６８と回動規制状態にロックされるようになっている。レバー５０のアーム部５３には相手のサブコネクタ９０のカムフォロア９６と係合可能なカム溝５１が形成されている。
【００２４】
レバー５０を回動初期位置においてフレーム６０内に両サブコネクタ１０Ａ，１０Ｂを装着させたあと相手のサブコネクタ９０を浅く嵌合すると、レバー５０のカム溝５１の入り口にカムフォロア９６が進入する。その状態でレバー５０が回動終端位置に向かって回動されると、カムフォロア９６がカム溝５１に沿って移動して両者間でカム作用が発揮され、もって両コネクタが互いに引き寄せられるようになっている。なお、フレーム６０の上下両壁６４，６５には、一対の開き防止壁７１がアーム部５３の外側を覆うように配設されており、両コネクタの嵌合操作時にアーム部５３が拡開変形するのを防止している。また、フレーム６０の上下両壁６４，６５の前端縁には、カムフォロア９６を進入させてカム溝５１に通すための案内溝６９がコネクタ収容室６６に開口するように切り欠き形成されている。
【００２５】
フレーム６０の上下両壁６４，６５の内側面（コネクタ収容室６６の内面）には、一対のガイド受け部７２がレール状に形成されている。ガイド受け部７２は、相対向して幅方向に延びる垂直板状の前部７２Ａ及び後部７２Ｂと、後部７２Ｂの高さ方向略中央に一体に接続されて幅方向に延びる水平板状のレール部７２Ｅとからなり、前部７２Ａ及び後部７２Ｂの両対向面間にはフランジ部１５の収容空間が保有されている。両サブコネクタ１０Ａ，１０Ｂは、フランジ部１５をガイド受け部７２の収容空間に進入させつつガイド部１６にレール部７２Ｅを嵌め込むことにより、フレーム６０への挿入動作が案内されるようになっている。そして、両サブコネクタ９０が正規装着されると、ガイド受け部７２の収容空間にフランジ部１５が横並び状態で緊密に嵌合して配されるようになっている。
【００２６】
フレーム６０の上下両壁６４，６５には、差込口６０Ａの近傍位置であってガイド受け部７２の溝底の左端寄りの位置に、略方形状の第１ロック受け部６３が厚み方向に貫通して形成されている。第１サブコネクタ１０Ａが正規装着されると、既述したように第１ロック部２１が第１ロック受け部６３に弾性的に嵌入され、第１サブコネクタ１０Ａが第２サブコネクタ１０Ｂとともにフレーム６０内に抜け止め状態でロックされるようになっている。この正規装着状態では、第１サブコネクタ１０Ａのフランジ部１５の左端面が幅方向に関して差込口６０Ａとほぼ同じ位置（図示する場合は内側へ極僅か引っ込んだ位置）に露出状態で配される。
【００２７】
また、フレーム６０の上壁の内側面（コネクタ収容室６６の内面）には、差込口６０Ａから離れた奥側位置であってガイド受け部７２の溝底の右端寄りの位置に、第２ロック受け部６２が形成されている。第２ロック受け部６２と第１ロック受け部６３がガイド受け部７２の幅方向両端部にそれぞれ配され、第１ロック部２１と第２ロック部１９がガイド部１６の幅方向両端部にそれぞれ配され、これにより、第１ロック部２１、第２ロック部１９、第１ロック受け部６３、及び第２ロック受け部６２は、両サブコネクタ１０Ａ，１０Ｂの並び方向の同軸上に位置することになる。
【００２８】
第２ロック受け部６２は、図６に示すように、ガイド受け部７２の溝底にて両サブコネクタ１０Ａ，１０Ｂの差し込み方向にほぼ沿って右側方へ片持ち状に延びる撓み変形可能な第２アーム部６２Ａと、第２アーム部６２Ａの延出端にてコネクタ収容室６６側へ突出する第２ロック突部６２Ｂとから構成されている。第２アーム部６２Ａは、その上面がフレーム６０の上面から一段落ちた位置にあって露出状態で配され、フレーム６０の壁厚よりも薄肉化されることで撓み動作が円滑となっている。ガイド受け部７２の前部７２Ａ及び後部７２Ｂのうち、第２ロック受け部６２と対応する部分は、同第２ロック受け部６２を成形するための切り欠き空間７３として開放されている。
【００２９】
第２ロック突部６２Ｂの左側面（フレーム６０に対する両サブコネクタ１０Ａ，１０Ｂの差し込み方向の後面）は、両サブコネクタ１０Ａ，１０Ｂの差し込み方向に沿って傾斜する差し込み案内面６２Ｅとされている。フレーム６０に対し第２サブコネクタ１０Ｂが挿入される過程では、第２ロック突部６２Ｂの差し込み案内面６２Ｅが第２サブコネクタ１０Ｂの右側上縁部と当接することによって第２アーム部６２Ａを上方へ弾性撓みさせるが、第２サブコネクタ１０Ｂが閉止壁６１に突き当たって正規装着位置に至ると、第２アーム部６２Ａが弾性復帰するとともに第２ロック突部６２Ｂが第２ロック部１９に嵌入して、第２サブコネクタ１０Ｂがフレーム６０に対し仮係止状態に保持されることになる。その後、フレーム６０に第１サブコネクタ１０Ａが収容されると、第１サブコネクタ１０Ａが第１ロック部２１と第１ロック受け部６３との係止により抜け止め状態にロックされるので、第２サブコネクタ１０Ｂは、閉止壁６１と第１サブコネクタ１０Ａとの間に挟まれた状態で本係止されることになる。
【００３０】
次に、本実施形態の組み付け手順を説明する。まず、図示しないリテーナをサブハウジング１１に差し込み、リテーナを仮係止位置に留め置いた状態で、後方から電線に接続された雌端子金具をサブハウジング１１のキャビティ１２内に挿入し、キャビティ１２の内壁にて形成されたランス１３により一次係止する。その後、リテーナを深く差し込んで本係止位置に至らしめ、雌端子金具を二次係止する。
【００３１】
両サブコネクタ１０Ａ，１０Ｂについて全ての雌端子金具の装着作業が完了したら、続いて、差込口６０Ａからコネクタ収容室６６へと第２サブコネクタ１０Ｂを挿入する。このとき、第２サブコネクタ１０Ｂのフランジ部１５をガイド受け部７２の収容空間に嵌め込み、ガイド部１６とガイド受け部７２のレール部７２Ｅとを適合させた状態から、第２サブコネクタ１０Ｂをフレーム６０の閉止壁６１側へ向かって押し込むようにする。すると、第２ロック部１９が第１ロック受け部６３と干渉することなく同第１ロック受け部６３を通過し、さらにガイド部１６とガイド受け部７２とにより案内されることにより、第２サブコネクタ１０Ｂがフレーム６０内にスムーズに挿入される。
【００３２】
正規装着位置に至った第２サブコネクタ１０Ｂは、図７に示すように、凸部１７をフレーム６０の凹部１８に凹凸嵌合させるとともにフランジ部１５の右側端面をフレーム６０の閉止壁６１の内側面に密着させ、かつ、第２ロック部１９をフレーム６０の第２ロック受け部６２に弾性的に係止させることで、フレーム６０の対し仮係止状態で留め置かれる。このとき、仮に、第１サブコネクタ１０Ａを誤って先に挿入しても、第１サブコネクタ１０Ａの凸部１７が閉止壁６１の内側面に突き当てられ、第２ロック受け部６２と係止状態に至ることはない。
【００３３】
その後、差込口６０Ａからコネクタ収容室６６（第２サブコネクタ１０Ｂの隣りのスペース）へと第１サブコネクタ１０Ａを上記同様の手順で挿入する。第１サブコネクタ１０Ａの挿入過程では、第１ロック突部２１Ｂの差し込み案内面２１Ｅがフレーム６０の差込口６０Ａの口縁に突き当たって第１サブコネクタ１０Ａの挿入動作が一旦規制されるが、このときには第１サブコネクタ１０Ａの大半がフレーム６０内に進入しているので、その後すぐに第１サブコネクタ１０Ａが正規装着位置に至ることになる。
【００３４】
正規装着位置に至った第１サブコネクタ１０Ａは、図８に示すように、凸部１７を第２サブコネクタ１０Ｂの凹部１８に凹凸嵌合させるとともにフランジ部１５の右側端面を第２サブコネクタ１０Ｂのフランジ部１５の左側端面に密着させ、かつ、第１ロック部２１をフレーム６０の第１ロック受け部６３に弾性的に係止させることで、フレーム６０に対し本係止状態で保持される。このとき、第１ロック部２１の係止面２１Ｆが第１ロック受け部６３の孔壁に第１サブコネクタ１０Ａの抜け方向で係止し合うことにより、第１サブコネクタ１０Ａが第２サブコネクタ１０Ｂとともに抜け止め状態にロックされる。一方、差込口６０Ａに対して第１サブコネクタ１０Ａを誤って先に挿入していた場合には、第１サブコネクタ１０Ａの左側端面に第２サブコネクタ１０Ｂの凸部１７が突き当てられることで、第２サブコネクタ１０Ｂの差し込み方向の後半部が差込口６０Ａから飛び出た状態となり、さらに第１ロック部２１（第２ロック部１９）と第１ロック受け部６３（第２ロック受け部６２）とによる係止が成立しないので、この状態を確認すれば、両サブコネクタ１０Ａ，１０Ｂが誤った順序でフレーム６０に挿入されたことがわかる。その場合は、両サブコネクタ１０Ａ，１０Ｂをフレーム６０から抜き取って改めて正規順序で挿入し直せばよい。
【００３５】
両サブコネクタ１０Ａ，１０Ｂの組み付けが完了したら、前方から相手のサブコネクタ９０を対応するサブコネクタ１０Ａ，１０Ｂに緩く嵌合させ、その状態でレバー５０を回動することで、両コネクタを正規嵌合させる。両コネクタの嵌合開始時には、相手のサブコネクタ９０のフード部９２に設けられた解除突部９７がレバー５０に設けられた弾性解除片５５と当接して弾性解除片５５が係止解除方向へ弾性撓み変形されることで、レバー５０の回動操作が許容される。そして、両コネクタの嵌合途上においては、相手のサブコネクタ９０の区画壁９３が両サブハウジング１１の対向面間に摺接可能に進入し、両対向面に案内されつつ両コネクタが嵌合動作が進み、そして嵌合完了時には、フード部９２の奥壁の前面にサブハウジング１１の前面が密着し、両端子金具が互いに正規深さで電気的に接続される。
【００３６】
以上説明したように本実施形態によれば、第２サブコネクタ１０Ｂがフレーム６０の差込口６０Ａからコネクタ収容室６６へと挿入される過程で、第２サブコネクタ１０Ｂの第２ロック部１９がフレーム６０の第１ロック受け部６３と干渉することなく同第１ロック受け部６３を通過するようにしたから、両者の引掛りに起因する挿入抵抗を受けることが無く、その分、第２サブコネクタ１０Ｂの挿入力が減ぜられて作業性が良好となる。すなわち、第２ロック部１９と第１ロック受け部６３がいずれも対応する壁面にて凹み形成されているので、第２サブコネクタ１０Ｂが装着される過程で両者の干渉が回避されるわけである。しかも、第２ロック部１９とコネクタ収容室６６の内面との干渉も回避されているので、第２サブコネクタ１０Ｂの挿入ストロークが長いという事情があっても、第２サブコネクタ１０Ｂの円滑な挿入動作が確保される。
【００３７】
また、第１ロック部２１と第２ロック部１９がガイド部１６に配置され、第１ロック受け部６３と第２ロック受け部６２がガイド受け部７２に配置されているので、これらロック部１９，２１及びロック受け部６２，６３を設置するための専用構造を設ける必要がなく、構造の簡素化を図れる。
【００３８】
さらに、フレーム６０内に両サブコネクタ１０Ａ，１０Ｂが正規順序で挿入された場合には、両者の有する凹部１８と凸部１７とが係合状態となることでその組み付け動作が許容される。これに対して、フレーム６０内に両サブコネクタ１０Ａ，１０Ｂが誤った順番で挿入された場合には、両者の有する凹部１８と凸部１７とが非係合状態になることでその組み付け動作が規制される。これにより、両サブコネクタ１０Ａ，１０Ｂが誤った組み合わせで連結されるのを回避できるようになっている。
【００３９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明によれば、フレーム内に３つ以上のサブコネクタをその並び方向に順次挿入して収容する構成であってもよい。要は、フレーム内に最後に挿入されるサブコネクタを第１サブコネクタとし、第１サブコネクタよりも先にフレーム内に挿入されるサブコネクタを第２サブコネクタ（最初に挿入されるサブコネクタに限定されない）とした場合に、第２サブコネクタの第２ロック部が、コネクタ収容室の内面にて第１サブコネクタに対応して設けられた第１ロック受け部と非干渉とされる構成であればよい。
（２）上記実施形態では、第１ロック受け部がフレームの上下両壁に貫通して形成されていたが、本発明によれば、第１ロック受け部は、フレームにおけるコネクタ収容室の内面のみに開口する有底凹部として形成されてもよい。
（３）本発明によれば、第２サブコネクタがフレーム内に挿入されたときに、第２ロック部と第１ロック受け部とが幅方向に位置ずれしていることにより、両者が非干渉とされる構成であってもよい。
（４）上記実施形態では、フレームに凹部を第２サブコネクタに凹部を設けていたが、本発明によれば、フレームに凸部を第２サブコネクタに凹部を設けても構わない。
（５）本発明は、雄端子金具を収容する雄コネクタに適用することが可能である。
【図面の簡単な説明】
【００４０】
【図１】本発明の一実施形態のコネクタの斜視図
【図２】フレーム内に第１サブコネクタを挿入する前のコネクタの斜視図
【図３】フレーム内に第１サブコネクタを挿入する前のコネクタの平面図
【図４】フレーム内に第１サブコネクタを挿入する前のコネクタの正面図
【図５】コネクタの正面図
【図６】フレーム内に第２サブコネクタを挿入する前のコネクタの背面図
【図７】フレーム内に第１サブコネクタを挿入する前のコネクタの背面図
【図８】コネクタの背面図
【図９】相手のコネクタの斜視図
【図１０】参照例においてフレームに両サブコネクタを挿入する前のコネクタの模式図
【符号の説明】
【００４１】
１０Ａ…第１サブコネクタ
１０Ｂ…第２サブコネクタ
１５…フランジ部
１６…ガイド部
１７…凸部
１８…凹部
１９…第２ロック部
２１…第１ロック部
２１Ａ…第１アーム部
６０…フレーム
６２…第２ロック受け部
６３…第１ロック受け部
７２Ｅ…レール部
【図１】
2007026760.tif 000003
【図２】
2007026760.tif 000004
【図３】
2007026760.tif 000005
【図４】
2007026760.tif 000006
【図５】
2007026760.tif 000007
【図６】
2007026760.tif 000008
【図７】
2007026760.tif 000009
【図８】
2007026760.tif 000010
【図９】
2007026760.tif 000011
【図１０】
2007026760.tif 000012